(57)【特許請求の範囲】
【請求項１】
ノイズ低減ヘッドホンの試験装置であって、
密閉チャンバと、ノイズ源と、試験パネルと、測定マイクロホンと、測定マイクロホンに接続されている測定比較モジュールとを備え、
ノイズ源から発された音声は、密閉チャンバ内に密閉され、
試験パネルは、試験時にノイズ低減ヘッドホンと組み合わせて結合チャンバを形成することができ、該試験パネルは、密閉チャンバとの共用部分にノイズ源の音声を結合チャンバ内部に伝達するための導音孔が設けられ、該試験パネルに取り付け孔がさらに設けられており、測定マイクロホンは、該結合チャンバの方向に向かって該取り付け孔に装着されており、
測定マイクロホンは、ノイズ低減ヘッドホンのノイズ低減機能がオンにされる前後のノイズ信号を録音し、測定比較モジュールは、測定マイクロホンのこれら２回の録音信号を受信して比較処理を行い、ノイズ低減ヘッドホンのノイズ低減量を得る
ことを特徴とするノイズ低減ヘッドホンの試験装置。
【請求項２】
前記試験パネルは、複数であり、
前記測定マイクロホンの数は、試験パネルの数と同じく、かつ、両者は、一対一に対応付けており、
各試験パネルは、いずれも、試験時にその対応するノイズ低減ヘッドホンと組み合わせて独立の結合チャンバを形成することができ、各試験パネルと密閉チャンバとの共用部分のいずれにも、ノイズ源の音声をその対応する結合チャンバ内部に伝達するための導音孔が設けられており、かつ、各試験パネルのいずれにも、取り付け孔が設けられており、対応する測定マイクロホンは、その対応する結合チャンバの方向に向かって該取り付け孔に装着されており、
各測定マイクロホンは、その対応するノイズ低減ヘッドホンのノイズ低減機能がオンにされる前後のノイズ信号を録音し、測定比較モジュールは、各測定マイクロホンのこれら２回の録音信号を受信して比較処理を行い、各対応するノイズ低減ヘッドホンのノイズ低減量を得る
ことを特徴とする請求項１に記載のノイズ低減ヘッドホンの試験装置。
【請求項３】
前記試験パネルは、平面、凹面又は凸面である
ことを特徴とする請求項１に記載のノイズ低減ヘッドホンの試験装置。
【請求項４】
前記ノイズ源は、
密閉チャンバ内に位置しているか、又は
密閉チャンバ外に位置し、かつ、密閉チャンバ上の接続口に接続されて全体上の密閉を形成することにより、該ノイズ源から発された音声を密閉チャンバ内に伝達する
ことを特徴とする請求項１に記載のノイズ低減ヘッドホンの試験装置。
【請求項５】
前記ノイズ源の数は、１つ又は複数である
ことを特徴とする請求項１に記載のノイズ低減ヘッドホンの試験装置。
【請求項６】
前記試験パネルにおける導音孔は、１つ又は複数である
ことを特徴とする請求項１に記載のノイズ低減ヘッドホンの試験装置。
【請求項７】
前記導音孔に、サウンドダンパー材が充填又は貼付されている
ことを特徴とする請求項１に記載のノイズ低減ヘッドホンの試験装置。
【請求項８】
ノイズ低減ヘッドホンの試験方法であって、
ノイズ源から発された音声を密閉チャンバ内に密閉する処理と、
試験時にノイズ低減ヘッドホンと組み合わせて結合チャンバを形成することができる試験パネルを設ける処理と、
試験パネルと密閉チャンバとの共用部分にノイズ源の音声を結合チャンバ内部に伝達するための導音孔を設ける処理と、
試験パネルに取り付け孔を設け、測定マイクロホンを結合チャンバの方向に向かって該取り付け孔に装着する処理と、
試験を行う際、ノイズ低減ヘッドホンを試験パネルに配置して結合チャンバを形成し、そして、測定マイクロホンを用いてノイズ低減ヘッドホンのノイズ低減機能がオンにされる前後のノイズ信号を録音し、測定マイクロホンのこれら２回の録音信号を比較して、ノイズ低減ヘッドホンのノイズ低減量を得る処理と、を含む
ことを特徴とするノイズ低減ヘッドホンの試験方法。
【請求項９】
試験時にノイズ低減ヘッドホンと組み合わせて結合チャンバを形成することができる試験パネルを設ける処理、試験パネルと密閉チャンバとの共用部分にノイズ源の音声を結合チャンバ内部に伝達するための導音孔を設ける処理、及び試験パネルに取り付け孔を設け、測定マイクロホンを結合チャンバの方向に向かって該取り付け孔に装着する処理は、
いずれも試験時にその対応するノイズ低減ヘッドホンと組み合わせて独立の結合チャンバを形成することができる、複数の試験パネルを設ける処理と、
各試験パネルと密閉チャンバとの共用部分のいずれにも、ノイズ源の音声をその対応する結合チャンバ内部に伝達するための導音孔を設ける処理と、
各試験パネルのいずれにも取り付け孔を設けて、試験パネルと同じ数の測定マイクロホンを一対一に対応付けて各試験パネルの取り付け孔に装着する処理と、を含む
ことを特徴とする請求項８に記載のノイズ低減ヘッドホンの試験方法。
【請求項１０】
ノイズ源から発された音声を密閉チャンバ内に密閉する処理は、
ノイズ源を密閉チャンバ内に配置する処理、又は
ノイズ源を密閉チャンバ外に配置し、かつノイズ源と密閉チャンバ上の接続口とを接続して全体上の密閉を形成することにより、該ノイズ源から発された音声を密閉チャンバ内に伝達する処理、を含む
ことを特徴とする請求項８に記載のノイズ低減ヘッドホンの試験方法。
【発明の詳細な説明】
【技術分野】
【０００１】
本発明は、ヘッドホン製造試験の技術分野に関し、特に、ノイズ低減ヘッドホンの試験装置及び方法に関する。
【背景技術】
【０００２】
ハイノイズ環境で、聴力の保護及び正常な通信のために、ノイズ低減ヘッドホンが広く利用されている。
【０００３】
アクティブノイズ低減ヘッドホンの研究開発及び製造において、ヘッドホンのノイズ低減量に対する試験によってヘッドホンの合否を判別しなければならない。フィードバック式アクティブノイズ低減ヘッドホンの主な動作周波数帯域は、通常、２０Ｈｚ〜４ｋＨｚとなっており、現在知られている試験方案は、いずれも、ヘッドホンをダミーヘッド又はそれと類似した装置に装着して、一定の距離から、外部ノイズ源を介して、音圧レベルが十分大きくかつ周波数が十分低くなるノイズを発生させ、ヘッドホンのノイズ低減スイッチを切り替え、ノイズ低減機能がオンにされる前後のダミーヘッド又はそれと類似した装置に拾われたノイズの差異を対照して、その差異を該ノイズ低減ヘッドホンのノイズ低減量とするようにしている。ここで、外部ノイズ源は、出力が大きくなるほど、その音圧レベルが大きくなるが、周波数の高低と何の関係もない。
【０００４】
図１は、従来のフィードバック式アクティブノイズ低減ヘッドホンの構造模式図である。図１に示すように、フィードバック式アクティブノイズ低減ヘッドホン１は、ヘッドホンの受話器２の前にノイズ低減マイクロホン４が１つ取り付けられており、ノイズ低減マイクロホン４によってヘッドホンケーシング内のノイズが拾われ、ノイズ低減回路３を介して増幅及びフィルタ処理が行われた後、受話器２から、ノイズ低減マイクロホン４に拾われたノイズと等振幅かつ逆位相になる制御信号が発され、制御信号及びヘッドホンケーシング内のノイズが重畳して相殺された後の残留ノイズが、再度ノイズ低減マイクロホン４に拾われ、処理されて相殺されるようにしており、このような過程は、ヘッドホンケーシング内の残留ノイズが安定になるまで繰り返される。フィードバック式ノイズ低減処理過程は、負のフィードバック過程であり、図２に示すように簡単に説明する。
【０００５】
図２は、従来のフィードバック式アクティブノイズ低減ヘッドホンのノイズ低減原理の数学モデル模式図である。図２を参照して、符号Ｇで受話器２からノイズ低減マイクロホン４への伝達関数を示し、符号Ｈでノイズ低減回路３の伝達関数を示し、符号ｚでヘッドホンケーシング内のノイズを示し、符号ｃで残留ノイズを示すと、次の式が成り立つ。
【０００６】
S=C/Z=1/(1-GH)
ここで、符号Ｓは、フィードバックシステムのノイズ低減量を示す。フィードバック式アクティブノイズ低減ヘッドホンの原理から見れば、Ｇ及びＨが変わらない限り、フィードバックシステムは、ノイズ低減マイクロホンに拾われた信号を安定的にＳ倍低減できる。
【発明の概要】
【発明が解決しようとする課題】
【０００７】
フィードバック式アクティブノイズ低減ヘッドホンのノイズ低減量を精確に測定するために、ノイズ低減機能のオフ時に、ノイズ低減マイクロホンにおけるノイズが少なくとも環境のバックグラウンドノイズよりもＳ倍大きいことが要求される。こうして、ノイズ低減機能がオンにされた時に、残留ノイズがバックグラウンドノイズよりも小さくならず、両者の差が、確実にヘッドホンのノイズ低減量を示すことができる。そこで、有効な試験を達成するために、大出力の外部ノイズ源が必要とされる。特に、生産ラインにおいて試験を行う際、通常、生産プラント内のバックグラウンドノイズが、比較的に高く、かつ集中的に低周波数帯域に分布しているため、ノイズ源の低音に対する要求がさらに高くなり、試験のコストが増え、大きな騒音汚染も招いてしまう。
【０００８】
従って、前記の試験方案の実施過程における主要な難題は、外部ノイズ源になり、該ノイズ源は、出力が十分大きくかつ周波数が十分低くなる必要があるため、このような試験システムは、周囲の環境に騒音汚染をもたらしてしまう。
【０００９】
騒音汚染を避けるために、従来の試験は、シールドルーム内に行われることが多いが、こうして、試験の要件が増え、すなわち試験の複雑度が高まってしまう。
【課題を解決するための手段】
【００１０】
前記の状況に鑑み、本発明は、ヘッドホンのノイズ低減量の試験過程において大出力の外部ノイズ源により周囲の環境に騒音汚染をもたらしてしまう問題を解決するとともに、試験の複雑度を高くさせないように、ノイズ低減ヘッドホンの試験装置及び方法を提供する。
【００１１】
前記の目的を達成するために、本発明の構成は、次のように実現されている。
【００１２】
本発明にノイズ低減ヘッドホンの試験装置が開示され、該試験装置は、
密閉チャンバと、ノイズ源と、試験パネルと、測定マイクロホンと、測定マイクロホンに接続されている測定比較モジュールとを備え、
ノイズ源から発された音声は、密閉チャンバ内に密閉され、
試験パネルは、試験時にノイズ低減ヘッドホンと組み合わせて結合チャンバを形成することができ、該試験パネルは、密閉チャンバとの共用部分にノイズ源の音声を結合チャンバ内部に伝達するための導音孔が設けられ、該試験パネルに、取り付け孔がさらに設けられており、測定マイクロホンは、該結合チャンバの方向に向かって該取り付け孔に装着されており、
測定マイクロホンは、ノイズ低減ヘッドホンのノイズ低減機能がオンにされる前後のノイズ信号を録音し、測定比較モジュールは、測定マイクロホンのこれら２回の録音信号を受信して比較処理を行い、ノイズ低減ヘッドホンのノイズ低減量を得る。
【００１３】
さらに、本発明にノイズ低減ヘッドホンの試験方法が開示され、該方法は、
ノイズ源から発された音声を密閉チャンバ内に密閉する処理と、
試験時にノイズ低減ヘッドホンと組み合わせて結合チャンバを形成することができる試験パネルを設ける処理と、
試験パネルと密閉チャンバとの共用部分にノイズ源の音声を結合チャンバ内部に伝達するための導音孔を設ける処理と、
試験パネルに取り付け孔を設け、測定マイクロホンを結合チャンバの方向に向かって該取り付け孔に装着する処理と、
試験を行う際、ノイズ低減ヘッドホンを試験パネルに配置して、そして、測定マイクロホンを用いてノイズ低減ヘッドホンのノイズ低減機能がオンにされる前後のノイズ信号を録音し、測定マイクロホンのこれら２回の録音信号を比較して、ノイズ低減ヘッドホンのノイズ低減量を得る処理と、を含む。
【発明の効果】
【００１４】
本発明によると、ノイズ源から発された音声を密閉チャンバ内に密閉しているため、ノイズ源による周囲の環境に対する騒音汚染を有効に隔離することができる。また、試験パネルは、試験時にノイズ低減ヘッドホンと組み合わせて結合チャンバを形成することができ、かつ密閉チャンバとの共用部分に導音孔を介して密閉チャンバ内のノイズ源の音声を結合チャンバに伝達しているため、特別なシールドルームが不要となり、試験環境に対する要求が解除され、すなわち、試験環境のバックグラウンドノイズが低くかつ他のノイズ源がないというような要件が不要になったことによって、試験の複雑度が低減された。
【図面の簡単な説明】
【００１５】
【図１】図１は、従来のフィードバック式アクティブノイズ低減ヘッドホンの構造模式図である。
【図２】図２は、従来のフィードバック式アクティブノイズ低減ヘッドホンのノイズ低減原理の数学モデル模式図である。
【図３】図３は、本発明の実施例１に係るノイズ低減ヘッドホンの試験装置の外部構造模式図である。
【図４】図４は、図３のノイズ低減ヘッドホンの試験装置の内部構造及びヘッドホンと組み合わせて試験を行うことを示す模式図である。
【図５】図５は、本発明の実施例２に係るノイズ低減ヘッドホン及び試験装置の構造模式図である。
【図６】図６は、本発明の実施例３に係るノイズ低減ヘッドホン及び試験装置の構造模式図である。
【図７】図７は、本発明の実施例４に係るノイズ低減ヘッドホン及び試験装置の構造模式図である。
【発明を実施するための形態】
【００１６】
本発明の目的、構成及び利点をより明らかにするために、以下、図面を参照しながら、本発明の実施形態をさらに詳しく説明する。
【００１７】
図３は、本発明の実施例１に係るノイズ低減ヘッドホンの試験装置の外部構造模式図である。図４は、図３のノイズ低減ヘッドホンの試験装置の内部構造及びヘッドホンと組み合わせて試験を行うことを示す模式図である。
【００１８】
図３及び図４を参照して、本実施例における試験装置は、ノイズ低減ヘッドセットに適用する試験装置であり、シャーシ１２と、垂直チャンバ６と、水平チャンバ５と、試験パネル７とからなる密閉チャンバを備えている。本実施例において、スピーカー１０をノイズ源として用いるが、本発明の他の実施例では、その代わりに、人工口又は他の音声源部材を使用してもよい。
【００１９】
垂直チャンバ６は、下端がシャーシ１２に固定され、上端が水平チャンバ５と連通している。水平チャンバ５は、両端が、それぞれ、２つの試験パネル７と組み合わせて一体に取り付けられて密閉チャンバを形成している。大出力のスピーカー１０は、密閉チャンバ内に位置している。図３、図４には、水平チャンバ５の一端の試験パネル７しか示していないが、他端にも同様の構造を有している。
【００２０】
両耳試験を行う際、２つの試験パネル７は、試験されるヘッドホンの両耳と結合するために用いられる。試験パネル７の形状は、試験されるヘッドホンの形状に応じて調整可能であり、平面、凸面又は凹面のいずれでもよく、その目的は、試験パネルがノイズ低減ヘッドホンと組み合わせて結合チャンバを形成させるのである。
【００２１】
試験パネル７には、スピーカー１０の音声を密閉チャンバから前記結合チャンバ内に伝達するための導音孔８が設けられている。試験パネル７には、取り付け孔９がさらに設けられおり、測定マイクロホン１１は、密閉チャンバの外部に向かって、かつ結合チャンバの方向に向かうように該取り付け孔９に装着している。測定マイクロホン１１は、ノイズ低減ヘッドホンのノイズ低減機能がオンにされる前後のノイズ信号を録音するために用いられる。
【００２２】
本実施例における試験装置は、測定マイクロホン１１に接続されている測定比較モジュールをさらに備えているが、図面に示していない。該測定比較モジュールは、ノイズ低減ヘッドホンのノイズ低減機能のオン時及びオフ時の２回分の録音信号を受信して比較し、ノイズ低減ヘッドホンのノイズ低減量を得るようになる。該測定比較モジュールは、密閉チャンバ内に位置してもよく、密閉チャンバ外に位置してもよい。
【００２３】
具体的な試験を行う際、試験されるヘッドホンを試験パネル７に押し付ける（図４に示すように）ことによって、試験されるヘッドホン１と試験パネル７とが良好に結合して結合チャンバを形成することを確保している。本実施例において、試験パネル７は平面的であり、測定マイクロホン１１と導音孔８とは、試験されるヘッドホンと試験パネル７とにより囲まれてなる結合チャンバ内に位置しており、スピーカー１０から発された試験用ノイズは、導音孔８を介して試験されるヘッドホン１と試験パネル７に囲まれてなる結合チャンバ内に伝達され、ノイズの音圧レベルは、ノイズ低減量の測定条件を満たせればよい。測定マイクロホン１１は、ヘッドホンケージング内のノイズを録音し、録音信号が安定になった後、試験されるヘッドホン１のノイズ低減機能をオンにして、測定マイクロホン１１は、再度、ヘッドホンケージング内の残留ノイズを録音して、２回の録音信号の差異は、試験されるヘッドホン１のノイズ低減量になる。
【００２４】
前記の実施例において、密閉チャンバの試験パネルには、導音孔８と、測定マイクロホンを装着するための取り付け孔９とが設けられているため、密閉チャンバのノイズを効果的に試験されるヘッドホンに伝達するとともに、結合チャンバ内のノイズを録音することができ、ノイズ低減量の測定を達成している。
【００２５】
前記の実施例において、取り付け孔９の大きさは、使用される測定マイクロホン１１の直径と一致すればよい。取り付け孔９は、貫通孔であり、測定マイクロホン１１は、ヘッドホンの受話器方向に向かって置かれている。試験装置は、設けられている導音孔８と取り付け孔９とを除いて、その他の部分が、いずれも密閉的である。
【００２６】
前記の実施例において、試験パネル７に、１つの導音孔が設けされているが、本発明の他の実施例において、複数の導音孔を設けてもよい。導音孔の直径は、大きすぎるように設計しない方がよく、そうでないと、試験されるヘッドホン１の受話器２からノイズ低減マイクロホン４への伝達関数Ｇに影響を与え、さらに、ヘッドホンのノイズ低減量に影響を与えてしまう。
【００２７】
前記の実施例において、試験装置の密閉チャンバ内に、スピーカーは、１つしか配置されていないが、本発明の他の実施例において、実際の必要に応じて複数のスピーカー又は人工口を配置してもよい。
【００２８】
図５は、本発明の実施例２に係るノイズ低減ヘッドホン及びその試験装置の構造模式図である。図５を参照して、図５には、測定マイクロホン５１と、ノイズ低減ヘッドセットの受話器５２と、ノイズ低減ヘッドセットのノイズ低減マイクロホン５３と、ノイズ源としての人工口５４と、試験パネル５５と、導音孔５６とが示されている。
【００２９】
図５に示した実施例２における試験装置の構造は、図３及び図４に示した実施例１における試験装置の構造に類似しており、いずれも、ノイズ低減ヘッドセットに適用する試験装置になっている。その区別は、図５において、密閉チャンバが、円柱形のキャビティと該キャビティ両端における試験パネルとからなり、そして、ノイズ源が、密閉チャンバ外に位置している人工口であり、人工口が密閉チャンバ上の接続口に接続されることによって、人工口から発された音声が密閉チャンバに伝達される、というところにある。
【００３０】
前記の実施例において、試験されるヘッドホンが、大きなイヤーマフを有するヘッドセットになっているため、試験パネルは、平面的になっており、試験時に、結合チャンバは、イヤーマフ内に形成されている。本発明に提供される試験装置は、同様に、インイヤ式ヘッドホンに適用する。この場合、下記の実施例に示すように、試験パネルは、凹面になるように設計されてもよく、こうして、インイヤ式ヘッドホンと組み合わせて試験結合チャンバを形成することができる。
【００３１】
図６は、本発明の実施例３に係るノイズ低減ヘッドホン及びその試験装置の構造模式図である。図６を参照して、図６には、測定マイクロホン６２と、導音孔６３と、スピーカー６４と、試験パネル６５と、ノイズ低減ヘッドホンのノイズ低減マイクロホン６６と、ノイズ低減ヘッドホンの受話器６７とが示されている。本実施例における試験装置は、インイヤ式ノイズ低減ヘッドホンに適用する。
【００３２】
図６を参照して、本実施例３において、ノイズ源が密閉チャンバ内に位置しており、試験パネルが凹面をなし、人間の耳介を模擬するものである。試験時に、試験パネルは、インイヤ式ヘッドホンと組み合わせて結合チャンバ６１を形成している。図６において、試験パネルの切り欠きは、水平方向に向かっているが、本発明の他の実施例において、切り欠きは、上向きであってもよい。
【００３３】
図７は、本発明の実施例４に係るノイズ低減ヘッドホン及びその試験装置の構造模式図である。図７を参照して、図７には、試験パネル７１と、スピーカー７３と、導音孔７４と、測定マイクロホン７５と、ノイズ低減ヘッドホンのノイズ低減マイクロホン７６と、ノイズ低減ヘッドホンの受話器７７とが示されている。本実施例における試験装置は、同様に、インイヤ式ノイズ低減ヘッドホンに適用する。試験時に、凹形状の試験パネルは、インイヤ式ヘッドホンと組み合わせて結合チャンバ７２を形成する。
【００３４】
図６に示す実施例３における試験装置が、同時に片側のヘッドホンしか試験できない一方、図７に示す実施例４における試験装置が、同時に両耳のヘッドホンに対して試験を行うことができることが分かる。本発明の他の実施例において、より多くのヘッドホンに対して同時に試験を行うことが実現できるように、さらに、試験パネルの数を増やしてもよい。
【００３５】
前記の全ての実施例において、試験装置の導音孔にサウンドダンパー材を充填又は貼付してもよい。サウンドダンパー材は、具体的に、綿や、スポンジや、繊維などであってもよい。
【００３６】
本発明の実施例５において、ノイズ低減ヘッドホン自体の受話器をノイズ源とし、ノイズ低減ヘッドホン自体のケーシングと試験パネルとの結合により密閉チャンバを形成することが可能である。従って、該実施例におけるノイズ低減ヘッドホンの試験装置は、試験パネルと、測定マイクロホンと、測定マイクロホンに接続されている測定比較モジュールとを備え、そして、ノイズ低減ヘッドホンの受話器を本試験装置のノイズ源とし、ノイズ低減ヘッドホンのケーシングを本試験装置のケーシングとしており、試験パネルに取り付け孔が設けられており、測定マイクロホンは、該取り付け孔に装着されており、試験時に、ノイズ低減ヘッドホンを試験パネルに押し付けて、測定比較モジュールは、ノイズ低減ヘッドホンのノイズ低減機能のオン時及びオフ時の２回分の録音信号を受信して比較し、ノイズ低減ヘッドホンのノイズ低減量を得るようになる。
【００３７】
前記の実施例に基づいて、本発明のノイズ低減ヘッドホンの試験方法を掲げる。該方法は、
ノイズ源から発された音声を密閉チャンバ内に密閉する処理と、
試験時にノイズ低減ヘッドホンと組み合わせて結合チャンバを形成することができる試験パネルを設ける処理と、
試験パネルと密閉チャンバとの共用部分にノイズ源の音声を結合チャンバ内部に伝達するための導音孔を設ける処理と、
試験パネルに取り付け孔を設け、測定マイクロホンを結合チャンバの方向に向かって該取り付け孔に装着する処理と、
試験を行う際、ノイズ低減ヘッドホンを試験パネルに配置して結合チャンバを形成し、そして、測定マイクロホンを用いてノイズ低減ヘッドホンのノイズ低減機能がオンにされる前後のノイズ信号を録音し、測定マイクロホンのこれら２回の録音信号を比較して、ノイズ低減ヘッドホンのノイズ低減量を得る処理と、を含む。
【００３８】
前記の方法において、１つ又は複数の試験パネルを設けてよい。複数の試験パネルを設けると、各試験パネルのいずれも、試験時に、その対応するノイズ低減ヘッドホンと組み合わせて独立の結合チャンバを形成することができ、各試験パネルと密閉チャンバとの共用部分のいずれにも、ノイズ源の音声をその対応する結合チャンバ内部に伝達するための導音孔を設け、各試験パネルのいずれにも、取り付け孔を設け、試験パネルと同じ数の測定マイクロホンを、一対一に対応付けて各試験パネルの取り付け孔に装着するようになる。
【００３９】
ノイズ源から発された音声を密閉チャンバ内に密閉する処理は、具体的に、次のようにしてもよい。すなわち、ノイズ源を密閉チャンバ内に配置してもよく、又は、ノイズ源を密閉チャンバ外に配置し、かつノイズ源と密閉チャンバ上の接続口とを接続して全体上の密閉を形成することにより、該ノイズ源から発された音声を密閉チャンバ内に伝達されるようにしてもよい。
【００４０】
前記の方法において、具体的に、試験パネルに１つ又は複数の導音孔を設けてもよい。
【００４１】
前記の方法は、導音孔にサウンドダンパー材を充填又は貼付する処理をさらに含む。
【００４２】
説明しておきたいのは、本発明の上述構成は、フィードバック式アクティブノイズ低減ヘッドホンに適用するだけではなく、同様に、フィードフワード式アクティブノイズ低減ヘッドホンにも適用する。
【００４３】
本発明のような構成によると、ノイズ源から発された音声を密閉チャンバ内に密閉しているため、ノイズ源による周囲環境に対する騒音汚染を効果的に隔離することができ、また、試験パネルは、試験時にノイズ低減ヘッドホンと組み合わせて結合チャンバを形成することができ、かつ密閉チャンバとの共用部分に導音孔を設けることで密閉チャンバ内のノイズ源の音声を結合チャンバ内に伝達しているため、特別なシールドルームが不要となり、試験環境に対する要求が解除され、すなわち、試験環境のバックグラウンドノイズが低くかつ他のノイズ源がないというような要件が不要になったことによって、試験の複雑度が低減された。
【００４４】
前記の説明は、あくまでも、本発明の好ましい実施形態であり、本発明の保護範囲は、これに限定されるものではない。本発明の精神及び原則内で行われる如何なる変更、均等な置き換え、改良などは、いずれも本発明の保護範囲に含まれるものとする。
【図１】
0005589156.tif 000002
【図２】
0005589156.tif 000003
【図３】
0005589156.tif 000004
【図４】
0005589156.tif 000005
【図５】
0005589156.tif 000006
【図６】
0005589156.tif 000007
【図７】
0005589156.tif 000008